(57)【要約】【課題】  シートの全面の外郭を広告物の型や自由な形状で表現し、シートに凹凸や変化を付けられる一体型のスペースを作り、自由自在に物を形で表現し、従来よりその広告物の個性を最大限に引き出す訴求力の高いオリジナリティ溢れる好適な広告面付き筆記具を提供する。【解決手段】  印刷可能な前面部と後面部のシートの間にボールペンの芯及び紙、アルミを巻いたボールペンの芯本体部とキャップ部をそれぞれ好きな位置で挟んで筒状にして固定し、シートの両面もしくは片面にスペースを設け、そのシートの全面の外郭を自由な形状に切り抜いたスペースを有することを特徴とする。【選択図】図１
2011255655.tif 000002
【特許請求の範囲】
【請求項１】
印刷可能な前面部と後面部のシートの間にボールペンの芯及び紙、アルミを巻いたボールペンの芯を好きな位置で挟んで固定し、シートでスペースを設け、そのシートの全面の外郭を自由な形状に切り抜いたスペースを有する広告面付き筆記具。
【請求項２】
請求項１記載の広告面付き筆記具において、印刷可能な前面部と後面部のシートの間にキャップ部を好きな位置で挟んで固定し、シートでスペースを設け、そのシートの全面の外郭を自由な形状に切り抜いたスペースを有するキャップ部を設けた広告面付き筆記具。
【請求項３】
請求項１、請求項２記載の広告面付き筆記具において、さらにシートに凹凸がある広告面付き筆記具。
【請求項４】
請求項１、請求項２、請求項３記載の広告面付き筆記具において、本体部をキャップ部に収容して一体型のスペースを有する広告面付き筆記具。
【請求項５】
前記紙、アルミを巻いたボールペンの芯は、全面の一部を斜めに切った紙、アルミで軸体を形成している請求項１記載の広告面付き筆記具。
【発明の詳細な説明】
【技術分野】
【０００１】  本発明は、今までにない本体部とキャップ部でデザイン自由な一体型広告面を特徴とし、広告宣伝や販売促進等に供する広告面付き筆記具に関するものである。
【背景技術】
【０００２】  従来の広告媒体の筆記具は、シートに図形や写真等を印刷し、筆記体を決まった位置に保持し広告面を作っていた。
しかしながら、筆記体が上か下に固定され広告面の上下両方や外郭全体を自由な形状で表現できないという欠点があった。
広告物の凹凸も表現出来ず、平面のみ平坦な広告スペースであったため変化に乏しく、それぞれの広告の個性を引き出せないという不満があった。
【発明の概要】
【発明が解決しようとする課題】
【０００３】  本発明は、シートの全面の外郭を広告物の型や自由な形状で表現し、シートに凹凸や変化を付けられる一体型のスペースを作り、自由自在に物を形で表現し、従来よりその広告物の個性を最大限に引き出す訴求力の高いオリジナリティ溢れる好適な広告面付き筆記具を提供することを目的とする。
【課題を解決するための手段】
【０００４】  本発明において、上記に述べた課題を解決するため、印刷可能な前面部と後面部のシートの間にボールペンの芯及び紙、アルミを巻いたボールペンの芯を好きな位置で挟んで固定し、シートの両面もしくは片面にスペースを設け、そのシートの全面の外郭を自由な形状に切り抜いたスペースを有する広告面付き筆記具で解決することができる。
ここでシートとは、要するに印刷可能なものであればいかなるものでもよい。具体的には、例えば、紙、ビニール、シール、磁石、金属等を使用することができる。【０００５】  また、本発明において、キャップ部も本体部と同じ条件でシートでスペースを設けることができるため、本体部をキャップ部に収容することで一体型の迫力有るスペースを大小自由に設け、物の凹凸も表現できるスペースを有する広告面付き筆記具で解決することができる。
【発明の効果】
【０００６】  上記のように構成された本発明の広告面付き筆記具によれば、本体部のボールペンの芯及び紙、アルミを巻いたボールペンの芯とキャップ部をそれぞれ上下自由な好きな位置で挟めるので、従来の広告媒体の筆記具にはなかった広告面の全面の外郭を広告物の型等、自由な形状で表現し、凹凸を付けて広告物の個性を最大限に引き出すことができる。
またキャップ部も同じ条件でスペースを設けることができるため、本体部をキャップ部に収容することで一体型の迫力有るスペースを設け、大小関係なく従来より広告宣伝効果が非常に大きく、さらに製造が容易で低価格で提供することができる。
【図面の簡単な説明】
【０００７】
【図１】は、筆記具の側面図である。
【図２】は、筆記具の内部構造を示す断面図である。
【図３】は、図１のＩ−Ｉ線で切断した断面図である。
【図４】は、筆記具本体部の立面図である。
【図５】は、図１のＩＩ−ＩＩ線で切断した断面図である。
【図６】は、キャップ部の立面図である。
【図７】は、ボールペンの芯に紙、アルミを巻く展開図である。
【図８】は、ボールペンの芯に紙、アルミを巻いた側面図である。
【発明を実施するための形態】
【０００８】  印刷可能な前面部と後面部のシートの間にボールペンの芯及び紙、アルミを巻いたボールペンの芯本体部とキャップ部をそれぞれ好きな位置で挟んで固定し、両面もしくは片面にシートでスペースを設け、そのシートの全面の外郭を自由な形状に切り抜いたスペースを有し、本体部をキャップ部に収容することで一体型の迫力有るスペースを設け、物の凹凸も表現できるスペースを有する広告面付き筆記具で実現した。
【実施例１】
【０００９】  図１〜図６は、第１実施例を示したものである。第１実施例は、図１に示すように、ボールペンの芯１を前面シート部２と後面シート部３の間に挟んで固定している。キャップ部も同様に、キャップ部４を前面シート部５と後面シート部６の間に挟んで固定している。図１の前面シート部２、５と後面シート部３、６には、文字、図形、ロゴ、写真等を印刷し、印刷したシート部に広告物の凹凸も付ける事ができる。【００１０】  ボールペンの芯１は図２に示す矢印Ａのように、上下自由に好きな位置に挟むことができ、図３のイ、ロ、ハに示すように、ボールペンの芯１を好きな位置で挟むことで、シートの全面の外郭を広告物の型や自由な形状で表現することができる。キャップ部４も同様に、図２に示す矢印Ｃのように上下自由に好きな位置に挟むことができ、図５のイ、ロ、ハに示すように、キャップ部４を好きな位置で挟むことで、シートの全面の外郭を広告物の型や自由な形状で表現することができる。【００１１】  本体部とキャップ部は図１に示す、本体部Ｂの外郭の型取りラインとキャップ部Ｄの外郭の型取りラインのように、シート部は従来では表現できなかったシートの全面の外郭をジグザグ、図形、イラスト、ロゴ等、表現したい自由な型取りで切り抜き、個性豊かなスペースを設けることができる。【００１２】  図２に示す矢印Ｌのように本体部とキャップ部の取り外しが自由にできるため、本体部とキャップ部それぞれにスペースを設けることができる。図２に示すＭを接点として、本体部をキャップ部に収容することで一体型の今までになかった迫力有る広告等を表現することができる。本体部とキャップ部にチャーム等のアクセサリーを付けることで、バリエーションとデザイン自由な豊富な広告面付き筆記具を提供することができる。【００１３】  本体部は図４に示すＭ−１のように円錐にする。円錐にすることでキャップの取り外しが円滑になる。【００１４】  本体部の前面シート部２と後面シート部３及びキャップ部の前面シート部５と後面シート部６は内面を接着剤で合体させている。
【実施例２】
【００１５】  次に図７〜図８は、第２実施例を示したものである。上記の第１実施例は、ボールペンの芯を使用していたが、第２実施例はボールペンの芯１に紙、アルミ等のシート７を巻き、太さを調整する。それ以外は第１実施例と同一である。【００１６】  第２実施例は、図７に示すようにボールペンの芯１の回りに紙、アルミ等のシート７を巻きつけて軸体を形成する。シート７の先端のＺの部分をＦラインで斜めに切ることで、図８のＧのようにボールペンの先から円錐になりキャップの取り外しが円滑になる。【００１７】  ボールペンの芯１とシート７は、のり、接着剤で付けている。【００１８】  第２実施例では、図１のボールペンの芯１の代わりに図８のシートを巻いたボールペンを使用し、図１〜図６の第１実施例と同様に今までにない本体部とキャップ部の一体型の迫力ある広告等を表現し、さらに軸体の太さを調整することで持ちやすい筆記具を提供することができる。【００１９】  第１実施例、第２実施例共に、文字、図形、ロゴ、写真等を印刷して凹凸をつけた片面のシートにボールペンの芯１、又は図８の紙、アルミを巻いたボールペンをテープ、接着剤で付けて固定し、簡単に広告面付き筆記具を提供することもできる。
【符号の説明】
【００２０】１  ボールペンの芯
２  前面シート部
３  後面シート部
４  キャップ部
５  前面シート部
６  後面シート部
７  シート部
８  ボール部
【図１】
2011255655.tif 000003
【図２】
2011255655.tif 000004
【図３】
2011255655.tif 000005
【図４】
2011255655.tif 000006
【図５】
2011255655.tif 000007
【図６】
2011255655.tif 000008
【図７】
2011255655.tif 000009
【図８】
2011255655.tif 000010
【手続補正書】
【提出日】平成22年10月4日(2010.10.4)
【手続補正１】
【補正対象書類名】特許請求の範囲
【補正対象項目名】請求項１
【補正方法】変更
【補正の内容】
【請求項１】
印刷可能な前面部と後面部のシートの間にボールペンの芯及び紙、アルミを巻いたボールペンの芯を好きな位置で挟んで筒状にして固定し、シートでスペースを設け、そのシートの全面の外郭を自由な形状に切り抜いたスペースを有する広告面付き筆記具。
【手続補正２】
【補正対象書類名】特許請求の範囲
【補正対象項目名】請求項２
【補正方法】変更
【補正の内容】
【請求項２】
請求項１記載の広告面付き筆記具において、印刷可能な前面部と後面部のシートの間にキャップ部を好きな位置で挟んで筒状にして固定し、シートでスペースを設け、そのシートの全面の外郭を自由な形状に切り抜いたスペースを有するキャップ部を設けた広告面付き筆記具。
【手続補正３】
【補正対象書類名】明細書
【補正対象項目名】０００４
【補正方法】変更
【補正の内容】
【０００４】  本発明において、上記に述べた課題を解決するため、印刷可能な前面部と後面部のシートの間にボールペンの芯及び紙、アルミを巻いたボールペンの芯を好きな位置で挟んで筒状にして固定し、シートの両面もしくは片面にスペースを設け、そのシートの全面の外郭を自由な形状に切り抜いたスペースを有する広告面付き筆記具で解決することができる。
ここでシートとは、要するに印刷可能なものであればいかなるものでもよい。具体的には、例えば、紙、ビニール、シール、磁石、金属、皮革等を使用することができる
【手続補正４】
【補正対象書類名】明細書
【補正対象項目名】０００８
【補正方法】変更
【補正の内容】
【０００８】  印刷可能な前面部と後面部のシートの間にボールペンの芯及び紙、アルミを巻いたボールペンの芯本体部とキャップ部をそれぞれ好きな位置で挟んで筒状にして固定し、両面もしくは片面にシートでスペースを設け、そのシートの全面の外郭を自由な形状に切り抜いたスペースを有し、本体部をキャップ部に収容することで一体型の迫力有るスペースを設け、物の凹凸も表現できるスペースを有する広告面付き筆記具で実現した。
【手続補正５】
【補正対象書類名】明細書
【補正対象項目名】０００９
【補正方法】変更
【補正の内容】
【０００９】  図１〜図６は、第１実施例を示したものである。第１実施例は、図１に示すように、ボールペンの芯１を前面シート部２と後面シート部３の間に挟んで筒状にして固定している。キャップ部も同様に、キャップ部４を前面シート部５と後面シート部６の間に挟んで筒状にして固定している。図１の前面シート部２、５と後面シート部３、６には、文字、図形、ロゴ、写真等を印刷し、印刷したシート部に広告物の凹凸も付ける事ができる。
【手続補正６】
【補正対象書類名】図面
【補正対象項目名】図４
【補正方法】変更
【補正の内容】
【図４】
2011255655.tif 000011